(57)【要約】【課題】回転清掃体を安価に製造し、且つ、均一な塵埃掻き取り性能を確保することで、小型で、衛生的で、低騒音で、しかも塵埃廃棄頻度が少なくメンテナンスの容易な空気調和機用清掃装置と、空気調和機を提供する。【解決手段】駆動手段（図示せず）で回転駆動されると共に、空気調和機に内蔵されたエアフイルター２１に付着した塵埃を掻き取る回転清掃体３４において、回転清掃体３４は、棒状の軸体５１と、軸体５１に螺旋状に巻き付けられると共に基布５２ａと基布５２ａに植毛されたブラシ部５２ｂからなる起毛布５２とで構成し、軸体５１の長手方向に接着部材６７を、連続的或いは、断続的に筋状に形成したもので、回転清掃体３４の製造が容易になり、空気調和機用清掃装置を安価に形成することができる。【選択図】図７
2008116091.tif 000002
【特許請求の範囲】
【請求項１】
駆動手段で回転駆動されると共に、空気調和機に内蔵されたエアフイルターに付着した塵埃を掻き取る回転清掃体において、前記回転清掃体は、棒状の軸体と、前記軸体に螺旋状に巻き付けられると共に基布と前記基布に植毛されたブラシ部からなる起毛布とで構成し、前記軸体の長手方向に接着部材を、連続的或いは、断続的に筋状に形成したことを特徴とする空気調和機用清掃装置。
【請求項２】
駆動手段で回転駆動されると共に、空気調和機に内蔵されたエアフイルターに付着した塵埃を掻き取る回転清掃体において、前記回転清掃体は、棒状の軸体と、前記軸体に螺旋状に巻き付けられると共に基布と前記基布に植毛されたブラシ部からなる起毛布とで構成し、前記基布が螺旋状に１回転する間に少なくとも１部分の接着箇所を、前記軸体と前記基布との間に設けたことを特徴とする空気調和機用清掃装置。
【請求項３】
熱交換器と、前記熱交換器の上流側に配され流入する空気に含まれる塵埃を捕獲するエアフイルターと、請求項１〜２のいずれか1項に記載の空気調和機用清掃装置を備えた空気調和機。
【発明の詳細な説明】
【技術分野】
【０００１】
本発明は、空気調和機に取り付けられエアフィルターの清掃を行う空気調和機用清掃装置と、それを用いた空気調和機に関するものである。
【背景技術】
【０００２】
従来のこの種の空気調和機用清掃装置として、図１１、図１２に示すようなものがあった（例えば、特許文献１参照）。
【０００３】
図１１は、上記特許文献１に記載された従来の空気調和機用清掃装置を搭載した空気調和機の室内機本体の断面図、図１２は、空気調和機用清掃装置を構成する回転清掃体１１の斜視図である。
【０００４】
図１１において、室内機本体１内には、熱交換器２と、室内の空気を取り入れる吸込口３と、前記熱交換器２と前記吸込口３の間に設けられたベルト状のエアフィルター４と、このエアフィルター４を張設した駆動軸６および従動軸７と、前記駆動軸６を回転駆動するサーボモーター５と、前記フィルター４で捕集された塵埃を除去する空気調和機用清掃装置８と、前記吸込口３から室内の空気を吸引し、熱交換器２を通して吹き出し口９から、熱交換された空気を室内に吹き出すファン１０とを備えている。
【０００５】
空気調和機用清掃装置８は、回転清掃体１１と、前記回転清掃体１１を回転駆動する駆動手段（図示せず）と、前記吸込口３と連通すると共に前記回転清掃体１１を内設し排出口１２を有する排気管１３と、前記排気管１３内に設けられた塵埃排出用ファン１４から構成されている。前記回転清掃体１１は、図１２に示すように、ロータ１１ａとそのロータ１１ａの外周の長手方向に直線状に植設されたブラシ状の清掃体１１ｂから構成されている。
【０００６】
上記のように構成された従来の空気調和機用清掃装置及び空気調和機の動作、作用は以下の通りである。
【０００７】
室内機本体１を、例えば、冷房運転すると、ファン１０により室内の空気が吸込口３から流入し、エアフィルター４を通って熱交換器２に至り、そこで冷却され、冷たい空気が吹き出し口９から室内に吹き出される。吸引される室内の空気に含まれる塵埃は、前記エアフィルター４で捕集され、エアフィルター４の表面に堆積する。エアフィルター４の表面に塵埃が堆積してくると、空気の通気圧損が増加し、熱交換効率が低下してくるので、定期的に或いは、必要に応じて、エアフィルター４上の塵埃の除去運転が必要となる。
【０００８】
塵埃の除去運転は、サーボモーター５を運転して駆動軸６を回転させてベルト状のフィルター４を連続的に移動させながら、その間に回転清掃体１１を回転させると共に塵埃排出用ファン１４を運転するもので、エアフィルター４上の塵埃が、回転清掃体１１の清掃体１１ｂで掻き取られ、掻き取られた塵埃は、塵埃排出用ファン１４により吸引され、排出口１２より室外に排出されるようになっている。
【特許文献１】特開平６−７４５２１号公報
【発明の開示】
【発明が解決しようとする課題】
【０００９】
しかしながら、上記特許文献１に開示された回転清掃体１１は、樹脂などからなるロータ１１ａに清掃体１１ｂを植毛して構成しているため、製造コストが高く、しかも清掃体１１ｂが連続的に形成されていないので、清掃が均一にできないという課題があった。
【００１０】
又、上記従来の空気調和機用清掃装置の構成では、塵埃吸引用ファン１４を設けているので、構造が複雑で、またそれを設けるスペースが必要なため、空気調和機用清掃装置は勿論それを搭載した空気調和機が大型化するという課題があった。
【００１１】
又、塵埃の吸引時に、塵埃吸引用ファン１４が高速で回転するため、騒音が大きいという課題も有った。さらに、塵埃を、排出口１２から直接屋外に排出するようにしているため、屋外の空気が塵埃で汚染され、非衛生的であった。
【００１２】
本発明は、上記従来の課題を解決するもので、回転清掃体を安価に製造し、且つ、均一な塵埃掻き取り性能を確保することで、小型で、衛生的で、低騒音で、しかも塵埃廃棄頻度が少なくメンテナンスの容易な空気調和機用清掃装置と、空気調和機を提供することを目的とするものである。
【課題を解決するための手段】
【００１３】
前記従来の課題を解決するために、本発明の空気調和機用清掃装置は、駆動手段で回転駆動されると共に、空気調和機に内蔵されたエアフイルターに付着した塵埃を掻き取る回転清掃体において、前記回転清掃体は、棒状の軸体と、前記軸体に螺旋状に巻き付けられると共に基布と前記基布に植毛されたブラシ部からなる起毛布とで構成し、前記軸体の長手方向に接着部材を、連続的或いは、断続的に筋状に形成したもので、回転清掃体の製造が容易になり、空気調和機用清掃装置を安価に形成することができる。
【００１４】
また、本発明の空気調和機は、熱交換器と、前記熱交換器の上流側に配され流入する空気に含まれる塵埃を捕獲するエアフイルターと、請求項１〜２のいずれか1項に記載の空気調和機用清掃装置を備えたもので、従来の塵埃掻き取り性能を維持しながら、小型、低騒音で、しかもメンテナンスが容易な空気調和機用清掃装置を用いることにより、空気調和機のエアフイルターを常にきれいに保つことが出来るので、空調性能に優れ、しかもメンテナンスの容易な空気調和機を提供することが出来る。
【発明の効果】
【００１５】
本発明の空気調和機用清掃装置及び空気調和機は、回転清掃体を安価に製造することができ、且つ、均一な塵埃掻き取り性能を有しており、小型で、衛生的で、低騒音で、しかも塵埃廃棄頻度が少なくメンテナンスが容易である。
【発明を実施するための最良の形態】
【００１６】
第１の発明は、駆動手段で回転駆動されると共に、空気調和機に内蔵されたエアフイルターに付着した塵埃を掻き取る回転清掃体において、前記回転清掃体は、棒状の軸体と、前記軸体に螺旋状に巻き付けられると共に基布と前記基布に植毛されたブラシ部からなる起毛布とで構成し、前記軸体の長手方向に接着部材を、連続的或いは、断続的に筋状に形成したもので、回転清掃体の製造が容易になり、空気調和機用清掃装置を安価に形成することができる。
【００１７】
第２の発明は、駆動手段で回転駆動されると共に、空気調和機に内蔵されたエアフイルターに付着した塵埃を掻き取る回転清掃体において、前記回転清掃体は、棒状の軸体と、前記軸体に螺旋状に巻き付けられると共に基布と前記基布に植毛されたブラシ部からなる起毛布とで構成し、基布が螺旋状に１回転する間に少なくとも１部分の接着箇所を、前記軸体と前記基布との間に設けたので、回転清掃体の製造が容易になり、空気調和機用清掃装置を安価に形成することができる。
【００１８】
第３の発明は、熱交換器と、前記熱交換器の上流側に配され流入する空気に含まれる塵埃を捕獲するエアフイルターと、請求項１〜２のいずれか1項に記載の空気調和機用清掃装置を備えたもので、従来の塵埃掻き取り性能を維持しながら、小型、低騒音で、しかもメンテナンスが容易な空気調和機用清掃装置を用いることにより、空気調和機のエアフイルターを常にきれいに保つことが出来るので、空調性能に優れ、しかもメンテナンスの容易な空気調和機を提供することが出来る。
【００１９】
以下、本発明の実施の形態について、図面を参照しながら説明する。なお、この実施例によって本発明が限定されるものではない。
【００２０】
（実施例１）
本発明の第１の実施例における空気調和機用清掃装置およびそれを搭載した空気調和機について図１〜７を用いて説明する。
【００２１】
図１は、本実施例における空気調和機用清掃装置を搭載した空気調和機の室内機の斜視図、図2は、同室内機の概略断面図である。
【００２２】
図１、２において、３０は、本実施例における空気調和機用清掃装置で、室内に設置された空気調和機の室内機２０に、前方より着脱自在に装着されると共に、室内機２０に内蔵されたエアーフィルター２１の表面に付着した塵埃を除去するための回転清掃体３４を内蔵している。
【００２３】
室内機２０の前面には、室内の空気を取り入れるための吸込口２２ａを有する前面パネル２２が設けられ、その吸込口２２ａの下流側に、エアーフィルター２１、室内の空気を熱交換する熱交換器２３、ファン２４が順に配され、ファン２４を運転すると、室内の空気が、吸込口２２ａから吸引され、熱交換器２３で熱交換された後、吹出口２５から室内に吹き出される。
【００２４】
エアーフィルター２１は、図２に示すように、ベルト状に形成されると共に、図示しないモーターと減速装置からなる駆動手段２６で回転駆動される駆動プーリー２７と、従動プーリー２８間に張架されている。
【００２５】
次に、空気調和機用清掃装置３０の詳細について図３〜７を用いて説明する。
【００２６】
図３は、空気調和機用清掃装置の斜視図、図４は、同空気調和機用清掃装置の分解図、図５は、同空気調和機用清掃装置の塵埃移送手段の構成を示す展開図、図６は、図３のＡ−Ａ断面図である。
【００２７】
図３〜６において、空気調和機用清掃装置３０は、カバー上３１と、カバー下３２からなり、室内機２０に着脱自在で、塵埃を収納する集塵ボックス３３と、集塵ボックス３３に回転自在に、かつ着脱自在に収納された回転清掃体３４と、回転清掃体３４で掻き取られ集塵ボックス３３内に溜まった塵埃を、集塵ボックス３３の長手方向に沿って移送させる塵埃移送手段３６と、カバー上３１の内壁に長手方向に一体に略櫛状に形成され、回転清掃体３４に付着した塵埃を掻き取る塵埃除去手段３７を備えている。
【００２８】
塵埃移送手段３６は、図４、５に示すように、カバー上３１の上面をスライド自在のつまみ４０と、つまみ４０の底面に垂下形成されたリブ４０ａが挿入嵌合される受け部４１ａを有する移送板４１から構成されている。４２は、カバー上３１に設けられ、つまみ４０のリブ４０ａをガイドするスリットで、４３は、つまみ４０のリブ４０ａが貫通するスリット４３ａを有すると共に、カバー上３１の裏面に貼着されるシール部材で、カバー上３１のスリット４２から、外気が流入するのを防止するためのものである。
【００２９】
又、カバー上３１の一側には、内部に溜まった塵埃を排出するための塵埃排出口４５と、その塵埃排出口４５を開閉する蓋体４６が開閉自在に設けられている。この蓋体４６の側面には、蓋体４６を開ける際に指を引っ掛けるための凹部４７が設けられている。なお、蓋体４６を、カバー上３１に着脱自在に、或いは、開閉自在で、しかもこじると簡単に外れるようにして設けても良い。
【００３０】
次に、回転清掃体３４の詳細について、図７を用いて述べる。
【００３１】
図７（ａ）は、回転清掃体３４及び室内機２０の一部の斜視図、（ｂ）は、同回転清掃体３４の製法を示す図、（ｃ）は、同回転清掃体３４のＥ−Ｅ拡大断面図である。
【００３２】
図７において、回転清掃体３４は、棒状で金属材料からなる軸体５１と、軸体５１の外周に螺旋状に巻き付けられると共に、基布５２ａと、基布５２ａに植毛されたブラシ部５２ｂからなる起毛布５２と、軸体５１の両側に設けられ軸体５１を回転自在に保持すると共に、カバー上３１に装着される軸受け体５３と、軸体５１の一端に固着され、空気調和機用清掃装置３０を室内機２０の前方より装着したときに、室内機２０側に設けられた駆動手段Ａ５４で回転駆動されるギアーＡ５５と噛み合うギアーＢ５６とから構成されている。回転清掃体３４が、集塵ボックス３３に装着された状態では、塵埃除去手段３７の先端が回転清掃体３４のブラシ部５２ｂに食い込んでいる。
【００３３】
棒状で金属材料からなる軸体５１の長手方向には一条の接着部材６７が貼り付けられており、このような状態の軸体５１の外周に、起毛布５２を螺旋状に巻き付けることにより、基布５２ａの裏面が、軸体５１を一周する毎に一回の接着が必ず行われるため、起毛布５２が確実に安定した状態で巻き付けられる。これにより、起毛布５２の巻き付け工程が非常に安定する。
【００３４】
接着部材６７は両面テープ、ホットメルト、ゴム系接着剤等、素材に応じて適宜選択すればよい。又、図７では、接着部材６７を筋状に連続的に設けているが、起毛布５２を一回転に一度固定できるようなピッチで断続的に設けても良いものである。このようにすることで、接着部材６７の使用量を最小限に抑えることも可能である。
【００３５】
このように回転清掃体３４を作ることで、製造コストを非常に安価に抑えることができる。又、ブラシ部５２ｂを連続的に形成することが出来るため、均一な清掃が可能になる。
【００３６】
又、例えば、軸体５１の素材にアルミ冷間引抜き棒等を用いることで、非常に小径で、軽量な回転清掃体３４を作ることも可能である。
又、本実施例では、軸体５１に巻きつけられた起毛布５２の全幅寸法（有効清掃幅寸法Ｌ）を５００ｍｍ以上としている。
【００３７】
なお、本実施例では、上述のように、軸体５１を１本の棒状部材で形成しているが、複数本に分割して、それらを螺子嵌合や、圧入等で繋ぐようにしても良い。そのようにすれば、軸体５１の運搬が容易で、しかも梱包形態も簡素化される。
【００３８】
また、軸体５１を、パイプのような中空の部材で形成すれば、軸体５１の質量が低減し、回転清掃体３４、ひいては、空気調和機用清掃装置３０の軽量化を図ることが出来る。
【００３９】
以上のように構成された本実施例における空気調和機用清掃装置３０及びそれを搭載した空気調和機の室内機２０の動作、作用は以下の通りである。
【００４０】
図１に示すように、予め、空気調和機用清掃装置３０を、空気調和機の室内機２０の所定に箇所に装着しておく。この状態では、図２及び６に示すように、空気調和機用清掃装置３０に内蔵された回転清掃体３４のブラシ部５２ｂの先端がエアフィルター２１の表面に当接している。
【００４１】
又、空気調和機用清掃装置３０のつまみ４０を操作して、移送板４１を、集塵ボックス３３の塵埃排出口４５と反対側の端部に寄せておく。
【００４２】
そして、室内機２０を例えば、冷房運転すると、ファン２４の運転により室内の空気が吸込口２２ａから流入し、エアフィルター２１を通って熱交換器２３に至り、そこで冷却され、冷たい空気が吹出口２５から室内に吹き出される。吸込口２２ａから吸引される室内の空気に含まれた塵埃は、エアフィルター２１で捕獲され、そのエアフィルター２１の表面に次第に堆積していく。エアフィルター２１の表面に塵埃が堆積してくると、空気の通気圧損が増加し、熱交換器２３での熱交換効率が低下してくるので、定期的に或いは、必要に応じて、エアフィルター２１に堆積した塵埃の除去運転が必要となる。
【００４３】
そこで、本実施例では、塵埃の除去運転を開始すると、図２、図６に示すように、駆動手段２６により駆動プーリー２７が反時計方向に回転し、エアフィルター２１が矢印Ａ方向に移動を開始する。同時に、空気調和機用清掃装置３０の回転清掃体３４が、同じく反時計方向（矢印Ｂ）に回転させることにより、エアフィルター２１の表面に付着していた塵埃３５が回転清掃体３４のブラシ部５２ｂにより掻き取られ、集塵ボックス３３内にこぼれ落ちる。同時に、ブラシ部５２ｂ上に取り残された塵埃は、櫛状の塵埃除去手段３７により、除去される。
【００４４】
この塵埃除去運転は、ベルト状のエアフィルター２１が半周すなわち、エアフィルター２１の前側半分が、後ろ側に移動するまで行なわれる。通常、エアフィルター２１の後ろ側半分には、塵埃がほとんど堆積しないので、塵埃除去運転を終えた時点で、エアフィルター２１のきれいな後ろ側半分が、前側に移動している。
【００４５】
何度か、上記塵埃除去運転を行なうと、空気調和機用清掃装置３０の集塵ボックス３３内に塵埃が堆積してくるので、それを廃棄する必要がある。
【００４６】
本実施例における塵埃廃棄作業は以下のようにして行なわれる。
【００４７】
まず、空気調和機用清掃装置３０を室内機２０から取り外す。次に、つまみ４０を操作して、移送板４１を塵埃排出口４５側に移動させる。この動作により、集塵ボックス３３内の塵埃が圧縮されながら、一塊になって、塵埃排出口４５側に移動し、最後に、ゴミ箱（図示せず）上で、蓋体４６を開けると、塵埃が圧縮されながら、一塊になって自重で、ゴミ箱内に落下し、塵埃廃棄作業を終える。そして、つまみ４０を再度操作して、移送板４１を塵埃排出口４５と反対側に移動させた後、空気調和機用清掃装置３０を、室内機２０の所定の場所に再度装着する。
【００４８】
なお、上記実施例では、集塵ボックス３３内の塵埃を廃棄する時に、つまみ４０を操作するように説明したが、空気調和機用清掃装置３０を室内機２０に装着したままの状態で、時々つまみ４０を往復操作させて、集塵ボックス３３内の塵埃を圧縮して塵埃排出口４５側に寄せて置くようにしても良い。こうすれば、より多くの塵埃を集塵ボックス３３内に溜めておけるので、塵埃の廃棄頻度が減り、メンテナンスが容易になるものである。
【００４９】
以上のように、本実施例によれば、回転清掃体３４は、棒状の軸体５１と、軸体５１に螺旋状に巻き付けられると共に基布５２ａと基布５２ａに植毛されたブラシ部５２ｂからなる起毛布５２とで構成し、軸体５１の長手方向に接着部材６７を、連続的或いは、断続的に筋状に形成したので、回転清掃体３４の製造が容易になり、空気調和機用清掃装置を安価に形成することができる。
【００５０】
又、回転清掃体３４は、棒状の軸体５１と、軸体５１に螺旋状に巻き付けられると共に基布５２ａと基布５２ａに植毛されたブラシ部５２ｂからなる起毛布５２とで構成し、基布５２ａが螺旋状に１回転する間に少なくとも１部分の接着箇所６７を、軸体５１と基布５２ａとの間に設けたので、回転清掃体の製造が容易になり、空気調和機用清掃装置を安価に形成することができる。
【００５１】
回転清掃体３４によってエアフイルター２１に付着した塵埃３５が確実に掻き取られると共に、その塵埃３５が集塵ボックス３３に収納されるので、塵埃３５の廃棄、メンテナンスが容易である。また、塵埃移送手段３６で、集塵ボックス３３内の塵埃３５を一方に移送すると、塵埃３５が圧縮されるので、集塵ボックス３３内に多量の塵埃３５を溜めておけるようになり、集塵ボックス３３内の塵埃３５の廃棄頻度が減り、塵埃３５の廃棄作業が軽減される。又、塵埃３５を吸引すると共に外部にそれを排出するための吸引装置などが不要なので、小型、低騒音で、しかも衛生的である。
【００５２】
又、回転清掃体３４は、集塵ボックス３３内に着脱自在に収納されると共に、前記集塵ボックス３３を空気調和機の室内機２０に対し着脱自在なので、一般に高所に設置された室内機２０から集塵ボックス３３を容易に取り外すことができ、集塵ボックス３３内の塵埃３５の廃棄が容易で、しかも回転清掃体３４を集塵ボックス３３から容易に取り出せるので、回転清掃体３３にこびりついた塵埃３５の除去、清掃も容易になる。
【００５３】
又、集塵ボックス３３に塵埃排出用の塵埃排出口４５を設け、その塵埃排出口４５を塞ぐ蓋体４６を着脱自在または／及び開閉自在に設けたので、集塵ボックス３３内に堆積した塵埃３５を、塵埃移送手段３６で、塵埃排出口４５まで移送すると、その間に塵埃が圧縮されると共に、蓋体４６を開放すると、圧縮された塵埃３５が一箇所の塵埃排出口４５から排出されるので、廃棄時に、塵埃３５が周囲に飛び散ることが無く、衛生的である。
【００５４】
さらに、回転清掃体３４に付着した塵埃を除去する塵埃除去手段３７を設けたことにより、回転清掃体３４を常にきれいに保つことができ、塵埃掻き取り性能が低下することが無く、また、回転清掃体３４で掻き取られた塵埃３５が、エアフイルター２１に再付着することも無く、塵埃除去性能が向上する。
【００５５】
又、回転清掃体３４を、棒状の軸体５１と、軸体５１に螺旋状に巻き付けられると共に基布５２ａと、基布５２ａに植毛されたブラシ部５２ｂからなる起毛布５２とで構成したことにより、回転清掃体３４の製造が容易になり、空気調和機用清掃装置３０を安価に形成することができる。
【００５６】
又、軸体５１に巻きつけられた起毛布５２の全幅寸法（有効清掃幅寸法）を５００ｍｍ以上としたことにより、空気調和機の室内機２０に内設された幅の広いエアフイルター２１の全幅に渡って、ブラシ部５２ｂが当たるので、回転清掃体３４を超低速（例えば、１０ＲＰＭ程度）で回転させても十分均一にエアフイルター２１を清掃することができ、しかも回転清掃体３４の回転時の騒音を低減することができる。
【００５７】
（実施例２）
【００５８】
図８（ａ）は、本発明の第２の実施例における空気調和機用清掃装置の部分斜視図、（ｂ）は、図８（ａ）のＢ−Ｂ断面図、（ｃ）は、図８（ａ）のＢ−Ｂ断面図（蓋体が開く直前）、（ｄ）は、同蓋体が開いた様子を示す部分斜視図、（ｅ）は、図８（ａ）のＣ−Ｃ断面図、（ｆ）は、図８（ｅ）のＤ−Ｄ断面図である。なお、上記実施例と同一部分については、同一符号を付してその説明を省略する。
【００５９】
図８において、集塵ボックス３３には、塵埃排出口４５を開閉する蓋体４６の一側が回転自在に軸支され、その蓋体４６を常時開く方向に付勢するトーションスプリングなどから成る付勢部材Ａ６０が設けられている。蓋体４６の他側（軸支された側の反対側）には、左右方向に摺動自在の引っ掛け部材６１が設けられている。この引っ掛け部材６１は、集塵ボックス３３の塵埃排出口４５の縁に引っ掛けられる爪部６１ａが設けられ、蓋体４６が閉じられた状態では、引っ掛け部材６１の爪部６１ａが、付勢部材Ｂ６２の付勢力で、塵埃排出口４５の縁側に付勢され、爪部６１ａが塵埃排出口４５の縁に引っ掛けられた状態で維持されるようになっている（図８（ｂ）の状態）。
【００６０】
そして、塵埃移送手段３６のつまみ４０を、塵埃排出口４５側に移動させると、つまみ４０に連結された移送板４１の端部に設けた突起部４１ａが、引っ掛け部材６１の爪部６１ａに当接し、さらに、つまみ４０を、付勢部材Ｂ６２の付勢力に抗して移動させると、爪部６１ａが、塵埃排出口４５の縁から外れ、同時に、付勢部材Ａ６０の付勢力により蓋体４６が強制的に開放され、中の塵埃が排出されるようになっている。
【００６１】
また、本実施例では、図８（ｄ）〜（ｆ）に示すように、蓋体４６は、前壁４６ａとそれに対しほぼ直角に形成された横壁４６ｂから構成され、さらに横壁４６ｂの下縁には、蓋体４６を開けるときに、カバー下３２の底面を掃くための掃き出しブラシ４６ｃが設けられている。同構成により、蓋体４６が閉じた状態では、図８（ｆ）に示すように、蓋体４６の横壁４６ｂは、集塵ボックス３３内で、その長手方向に直交するように配置される。
【００６２】
以上のように本実施例によれば、塵埃排出口４５を塞ぐ蓋体４６を開閉自在に設けると共に、その蓋体４６の開動作と塵埃移送手段３６の動作を連動させたことにより、集塵ボックス３３内に堆積した塵埃３５を、塵埃移送手段３６で、塵埃排出口４５まで移送すると、その間に塵埃３５が圧縮されるが、その移送動作に連動して蓋体４６が開放するので、一つの移送動作で、塵埃３５を一箇所の塵埃排出口４５から排出できると共に、塵埃３５が圧縮されているので、廃棄時に、塵埃３５が周囲に飛び散ることが無く、衛生的である。
【００６３】
又、蓋体４６が開くときに、蓋体４６の横壁４６ｂが、強制的に集塵ボックス３３内の塵埃３５の塊を掃き出すので、確実に塵埃３５を集塵ボックス３３から排出させることが出来る。しかも、横壁４６ｂの下縁に設けた掃き出しブラシ４６ｃにより、蓋体４６の背後に位置するカバー下３２の底面が、塵埃の廃棄の都度清掃されるので、その部分に塵埃が堆積して中の塵埃の塊が出難くなることが無い。
【００６４】
（実施例３）
【００６５】
図９（ａ）は、本発明の第３の実施例における空気調和機用清掃装置の移送板の斜視図、（ｂ）は、同移送板に装着される清掃片の斜視図、（ｃ）は、同移送板に清掃片を組み込んだ状態を示す図、（ｄ）同空気調和機用清掃装置の要部断面図である。なお、上記実施例と同一部分については、同一符号を付してその説明を省略する。
【００６６】
本実施例は、図９に示すように、移送板４１の、集塵ボックス３３の内壁と対向する周縁に凹溝４１ｂを設け、その凹溝４１ｂにブラシ状の清掃片４７を装着したもので、これにより、塵埃移送手段３６を動作させる都度、集塵ボックス３３の内壁が清掃片４７で清掃されるので、集塵ボックス３３の内壁に汚れが堆積することが無く、非常に衛生的である。
【００６７】
（実施例４）
【００６８】
図１０は、本発明の第４の実施例における空気調和機用清掃装置の部分斜視図である。なお、上記実施例と同一部分については、同一符号を付してその説明を省略する。
【００６９】
本実施における空気調和機用清掃装置は、図１０に示すように、空気調和機用清掃装置３０の内部や外部に付着した塵埃を払うためのお手入れ用のハケ６５を備え、そのハケ６５を着脱自在に保持するハケ保持部６６を、カバー上３１の上面に形成したものである。
【００７０】
ハケ６５は、持ち部６５ａと、 持ち部６５ａの端部に形成され埃を払うハケ部６５ｂから構成されている。
【００７１】
本実施例では、以上のように構成されているので、集塵ボックス３３内の塵埃を廃棄する都度、回転清掃体３４や、集塵ボックス３３をハケ６５できれいにすることができると共に、そのハケ６５の保管が容易で、しかもその保管場所を忘れることも無いので非常に使用勝手の良いものである。
【００７２】
なお、上記実施例では、ハケ保持部６６を、カバー上３１の上面に形成したが、特にその部分に限定するものでは無く、カバー上３１の側面や、カバー下３２に設けても良い。
【００７３】
さらに、空気調和機の室内機２０に、従来の塵埃掻き取り性能を維持しながら、小型、低騒音で、しかもメンテナンスが容易な上記空気調和機用清掃装置３０を用いることにより、エアフイルター２１を常にきれいに保つことが出来るので、空調性能に優れ、しかもメンテナンスの容易な空気調和機を提供することが出来る。
【産業上の利用可能性】
【００７４】
以上のように、本発明にかかる空気調和機用清掃装置は、回転清掃体を安価に製造することができ、且つ、均一な塵埃掻き取り性能を有しており、小型、低騒音で、しかも衛生的で、また、塵埃の廃棄、メンテナンスが容易なもので、家庭用、業務用の各種空気調和機は勿論、空気清浄機、換気装置などエアフィルターを有する各種機器に適用できるものである。
【図面の簡単な説明】
【００７５】
【図１】本発明の第１の実施例における空気調和機用清掃装置を搭載した空気調和機の室内機の斜視図
【図２】同室内機の概略断面図
【図３】同空気調和機用清掃装置の斜視図
【図４】同空気調和機用清掃装置の分解図
【図５】同空気調和機用清掃装置の塵埃移送手段の構成を示す展開図
【図６】図３のＡ−Ａ断面図
【図７】（ａ）回転清掃体及び室内機の一部の斜視図、（ｂ）同回転清掃体の製法を示す図、（ｃ）同回転清掃体のＥ−Ｅ拡大断面図
【図８】（ａ）本発明の第２の実施例における空気調和機用清掃装置の部分斜視図、（ｂ）図８（ａ）のＢ−Ｂ断面図、（ｃ）図８（ａ）のＢ−Ｂ断面図（蓋体が開く直前）、（ｄ）同蓋体が開いた様子を示す部分斜視図、（ｅ）図８（ａ）のＣ−Ｃ断面図、（ｆ）図８（ｅ）のＤ−Ｄ断面図
【図９】（ａ）本発明の第３の実施例における空気調和機用清掃装置の移送板の斜視図、（ｂ）同移送板に装着される清掃片の斜視図、（ｃ）同移送板に清掃片を組み込んだ状態を示す図（ｄ）同空気調和機用清掃装置の要部断面図
【図１０】本発明の第４の実施例における空気調和機用清掃装置の部分斜視図
【図１１】従来の空気調和機用清掃装置を搭載した空気調和機の室内機の断面図
【図１２】従来の空気調和機用清掃装置に搭載される回転清掃体の斜視図
【符号の説明】
【００７６】
２０  室内機（空気調和機）
２１  エアフィルター
２３  熱交換器
２４  ファン
２５  吹出口
３０  空気調和機用清掃装置
３３  集塵ボックス
３４  回転清掃体
３５  塵埃
３６  塵埃移送手段
３７  塵埃除去手段
４０  つまみ
４１  移送板
４５  塵埃排出口
４６  蓋体
５１  軸体
５２  起毛布
５２ａ  基布
５２ｂ  ブラシ部
６５  ハケ
６６  ハケ保持部
６７  接着部材
【図１】
2008116091.tif 000003
【図２】
2008116091.tif 000004
【図３】
2008116091.tif 000005
【図４】
2008116091.tif 000006
【図５】
2008116091.tif 000007
【図６】
2008116091.tif 000008
【図７】
2008116091.tif 000009
【図８】
2008116091.tif 000010
【図９】
2008116091.tif 000011
【図１０】
2008116091.tif 000012
【図１１】
2008116091.tif 000013
【図１２】
2008116091.tif 000014
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
駆動手段で回転駆動されると共に、空気調和機に内蔵されたエアフィルターに付着した塵埃を掻き取る回転清掃体において、前記回転清掃体は、棒状の軸体と、前記軸体に螺旋状に巻き付けられると共に基布と該基布に植毛されたブラシ部からなる起毛布とで構成し、前記軸体の長手方向に接着部材を、連続的に筋状に形成したことを特徴とする空気調和機用清掃装置。
【請求項２】
駆動手段で回転駆動されると共に、空気調和機に内蔵されたエアフィルターに付着した塵埃を掻き取る回転清掃体において、前記回転清掃体は、棒状の軸体と、前記軸体に螺旋状に巻き付けられると共に基布と該基布に植毛されたブラシ部からなる起毛布とで構成し、前記軸体の長手方向に両面テープからなる接着部材を、連続的に筋状に形成したことを特徴とする空気調和機用清掃装置。
【請求項３】
熱交換器と、該熱交換器の上流側に配され流入する空気に含まれる塵埃を捕集するエアフィルターと、請求項１又は２に記載の空気調和機用清掃装置を備えた空気調和機。